(57)【要約】      （修正有）【課題】バックライトとしてしようするサーペンタインランプを提供する。【解決手段】板の側面に取付けた電極部と，多重に折曲して前記板に取付けられ，蛍光材料で被覆した内周部を有し放電ガスを充填した導管部と，電極部と該電極部に隣接した導管部の折曲部との間に空隙を有する絶縁体とを備えるサーペンタインランプ。電極部及び導管部が絶縁体により絶縁され，電圧位相差による干渉が最小となる。黒色化を防止するために電極からの熱伝導が抑制される。熱を遮断するため，サーペンタインランプの寿命が伸びる。発光の安定性及び均一性が確保され，高輝度を維持できる。【選択図】図１
2006185810.tif 000002
【特許請求の範囲】
【請求項１】
電極部と，導管部とから成り，
前記導管部は，多重に折曲して設けられ，蛍光材料で被覆した内周部を有し，放電ガスを充填して成り，
前記電極部と該電極部に隣接した前記導管部の折曲部との間に空隙を有する絶縁体とを備えるサーペンタインランプ。
【請求項２】
板の側面に取付けた電極部と，
多重に折曲して前記板に取付けられ，蛍光材料で被覆した内周部を有し放電ガスを充填した導管部と，
前記電極部と該電極部に隣接した前記導管部の折曲部との間に空隙を有する絶縁体とを備えるサーペンタインランプ。
【請求項３】
断面が半円形の２つの半片を対称的に接合することにより形成され，断面が円形の通路を形成するために長手方向又は幅方向に形成され，電極に取付けられた電極部と，
前記電極部と同様の方法で互いを接合及び連通した蛍光材料で被覆した内周部を有し、放電ガスを充填した気密状円形の導管部と，
前記電極部と該電極部に隣接した前記導管部の折曲部との間に空隙を有する絶縁体とを備えるサーペンタインランプ。
【請求項４】
前記絶縁体が外部空気が自由に入出する開放端部を有する請求項１〜３いずれか１項記載のサーペンタインランプ。
【発明の詳細な説明】
【技術分野】
【０００１】
本発明はサーペンタインランプ(serpentine lamp)に関するものであって，特にランプが損傷を受けることを防ぎ，高輝度の均一な光源を提供するための，電極と導管部との間の電圧差により発生する黒色化を抑制可能なバックライト用の改良されたサーペンタインランプに関する。
【背景技術】
【０００２】
通常，ブラウン管（ＣＲＴ）が，テレビ受像機，測定器，情報端末等のためのディスプレイとして使用されているが，小型で軽量の電子製品に対する需要を満たすために，ＣＲＴの代わりに液晶表示装置（ＬＣＤ）が使用されつつある。
【０００３】
ＬＣＤはパネルに注入した液晶の電磁気の特徴を使用するため，プラズマ表示パネル及び電界放出ディスプレイ等とは異なり，ＬＣＤパネルに表示した画像を見るために，画像表示面を均一に照射する独立した光源としてのバックライトが必要である。
【０００４】
図６及び図７は従来のサーペンタインランプ１０の例を示す図である。図示のように，従来のサーペンタインランプ１０は板４０の上面に設けた電極２０及び導管部３０を備え，電極２０及び導管部３０は互いに連通するよう多重に折曲される。
【０００５】
電極２０及び導管部３０はガラス粉体を溶融するだけで互いに接続されている。電力が電極２０に供給されると，導管部３０の内壁を被覆する蛍光物質を励起するために、導管部３０に充填した放電ガスが電気を放電する。それにより発光し，サーペンタインランプ１０はバックライトとして使用できる。
【０００６】
しかし，従来のサーペンタインランプ１０は長い放電路を有するため，サーペンタインランプを操作する際に高い電圧が必要となる。高い電圧は電極２０と導管部３０との間に干渉をもたらし，その結果，電極２０のシールが細かい開口により形成される。従って，放電路がシールに形成され，それにより，サーペンタインランプの光が短くなり，損傷を引き起こす熱が生じる。
【０００７】
換言すれば，緩衝（絶縁）帯無しでガラス粉体を溶融することにより電極２０及び導管部３０は短い空隙内で接続するため，電極２０への供給電圧と導管部３０からの放電電圧との間の干渉により黒色化が発生する。その結果，ランプは損傷を受け，サーペンタインランプの寿命が著しく短くなる。
【発明の開示】
【発明が解決しようとする課題】
【０００８】
従って，本発明は前記及び／又は他の問題を考慮して成され，本発明の目的は，緩衝帯，例えば絶縁体として機能する電極と導管部との間に空隙を備え，供給電圧と放電電圧との差による干渉を抑制することにより電圧差による黒色化とサーペンタインランプの損傷とを防ぐ，主にバックライトとして使用するサーペンタインランプを提供することにある。
【課題を解決するための手段】
【０００９】
本発明によると上述及び他の目的は，電極部１１０，１１０’と、導管部１２０，１２０’とから成り，導管部１２０，１２０’は，多重に折曲して設けられ，蛍光材料で被覆した内周部を有し，放電ガスを充填して成り，電極部１１０，１１０’と該電極部１１０，１１０’に隣接した導管部１２０，１２０’の折曲部との間に空隙を有する絶縁体１３０とを備えるサーペンタインランプ１００を提供することにより達成される。
【００１０】
本発明によると上述及び他の目的は又，板２００の側面に取付けた電極部１１０と，多重に折曲して板２００に取付けられ，蛍光材料で被覆した内周部を有し放電ガスを充填した導管部１２０と，電極部１１０と該電極部１１０に隣接した導管部１２０の折曲部との間に空隙を有する絶縁体１３０とを備えたサーペンタインランプ１００を提供することにより達成される。
【００１１】
絶縁体１３０は外部空気が自由に入出する開放端部を有することが好ましい。
【００１２】
本発明は又，ガラス基板から成る板２００と，板２００の側面に取付け，板と同じ材料から成り，電極を備えた半円形の電極部１１０，１１０’と，板２００と同じ材料から成り，多重に折曲して板２００の側面に取付けられ，各々が電極部１１０，１１０’と連通し，蛍光材料で被覆した内周部を有し，放電ガスが充填され、密封された半円形の導管部１２０，１２０’と，板と同じ材料から成り，電極部１１０，１１０’と該電極部１１０，１１０’に隣接した導管部１２０，１２０’の折曲部との間に空隙を有する絶縁体１３０とを備えるサーペンタインランプ１００を提供する。
【００１３】
本発明のこれらの及び／又は他の目的及び利点は添付図面を参照して説明する以下の実施例により明確且つ容易に理解されるであろう。
【発明を実施するための最良の形態】
【００１４】
次に，本発明の好適な実施例によるサーペンタインランプについて添付図面を参照しながら以下説明する。
【００１５】
図１は本発明のサーペンタインランプの好適な実施例を図示した正面図であり，図２は図１のＢ−Ｂ線に沿った横断面図であり，図３は図１のＣ−Ｃ線に沿った横断面図であり，図４は図２と同様に本発明のサーペンタインランプの別の実施例を図示した横断面図であり，図５は図３と同じくサーペンタインランプの平断面図である。
【００１６】
図１及び図３に示すように，本発明の好適な実施例によるサーペンタインランプ１００は，板２００と，該板２００に設けた電圧が供給される電極部１１０と，該電極部１１０が接続された板２００に設け，放電ガスが充填された導管部１２０と，電極部１１０と導管部１２０との間に配置した絶縁体１３０とを備える。
【００１７】
板２００は四角形の形状を有し，ガラス製であることが好ましい。
【００１８】
図１に示すように，電極部１１０は板２００の上部表面の上側に設けられ，溶融したガラス粉体から形成され，断面が半円形の中空形状を有し，板２００の上側と平行に取り付けられる。
【００１９】
特に，電極接続装置１１２ａ，１１２ｂが電極部１１０の一部に形成され，正及び負の電極１１４ａ，１１４ｂが電極部１１０に挿入される。
【００２０】
更に，正及び負の電極１１４ａ及び１１４ｂが電極部１１０の一部により互いに離間し，即ち，板２００の上側の中心部及び電極部１１０の端部が密封される。
【００２１】
換言すれば，電極接続装置１１２ａ，１１２ｂのみが開口され，電極部１１０の他の部分は密封される。
【００２２】
電力が供給される電極が電極部１１０へ長手方向に水平に挿入される。
【００２３】
導管部１２０は多重に折曲されて板２００の上面に長手方向に配置され，図１に示すように，導管部１２０の断面形状は電極部１１０と同一であり，導管部１２０の各端部は電極部１１０と連通する。
【００２４】
電極部１１０と同様に，導管部１２０は板２００の上面に取付けられ，溶融したガラス粉体から形成され，半円形の断面を有する。導管部１２０は蛍光材料で被覆した内周部を有する。
【００２５】
導管部１２０は放電ガスで充填され，板２００上の電極部１１０から離間される。
【００２６】
換言すると，図１に示すように，電極接続装置１１２ａ，１１２ｂが取付けられ，板２００の上側に沿って配置した電極部１１０と，多重に折曲された導管部１２０の折曲部とは互いに離間され，それにより，折曲部と電極部１１０との間に空間が形成される。
【００２７】
絶縁体１３０は電極部１１０と折曲部との間の空間に配置され，電極部１１０と折曲部との間に略Ｔ字形の管を挿入することにより形成される。
【００２８】
絶縁体１３０は溶融ガラスから形成され，略半円形の断面を有し，気道１３２として使用する中空内部を備える。
【００２９】
更に，絶縁体１３０の半径は電極部１１０及び導管部１２０の半径より小さいことが好ましい。
【００３０】
絶縁体１３０の中心部に排気／吸気口１３４（開放端部）が長手方向に形成される。排気／吸気口１３４は気道１３２と連通し，それにより外部空気が自由に絶縁体１３０に入る。
【００３１】
従って，電圧位相差間の干渉を抑制するために，電極部１１０及び導管部１２０は緩衝空間として機能する絶縁体により絶縁される。
【００３２】
一方，図４及び図５に示すように，板２００の側面に設けた半円形の電極部１１０，１１０’，前記実施例の導管部１２０と同一の形状を有する電極部１１０，１１０’と各々接続した導管部１２０，１２０’及び，電極部１１０，１１０’と導管部１２０，１２０’との間に配置した絶縁体１３０，１３０’から成る２つの同一形状の半片を各々接合することにより本発明の別の実施例によるサーペンタインランプが製造される。
【００３３】
本発明の好適な別の実施例によるサーペンタインランプは，断面が半円形の２つの半片を対称的に接合することにより形成され，断面が円形の通路を形成するべく長手方向又は幅方向に形成され，電極に取付けられた電極部１１０，１１０’と，前記電極部１１０及び１１０’と同様の方法で、互いを接合及び連通した蛍光材料で被覆した内周部を有し，放電ガスを充填した気密状円形の導管部１２０，１２０’と，前記電極部１１０，１１０’と前記電極部１１０，１１０’に隣接した導管部１２０，１２０’の折曲部との間に空隙を有する絶縁体１３０，１３０’とを備える。
【００３４】
本発明の別の実施例によるサーペンタインランプの部品の構造及び接続関係は，板２００を除去し，サーペンタインランプの２つの同一な半片を対面接合することを除いては，本発明の好適な実施例によるサーペンタインランプのそれらと同一である。
【００３５】
本発明のこの実施例によるサーペンタインランプの操作を以下に説明する。
【００３６】
電極部１１０，１１０’に挿入した電極１１４ａ，１１４ｂに電圧が供給されると，導管部１２０，１２０’に充填された放電ガスによりプラズマ放電が生じる。
【００３７】
このプラズマ放電により，中性ガスの原子及び分子を励起する高温電子が発生し，前記原子及び分子が前記電子により励起され，それにより紫外線を発生する基底状態へ降下する。
【００３８】
サーペンタインランプとして使用するために，発生した紫外線は導管部１２０，１２０’の内周部を被覆する蛍光物質を励起し，発光させる。
【００３９】
この時，電極部１１０，１１０’及び導管部１２０，１２０’は外部空気が入出する絶縁体１３０，１３０’により絶縁されるため，電極部１１０，１１０’への供給電圧と導管部１２０，１２０’からの放電電圧との間の位相差による干渉は著しく減少する。
【００４０】
更に，電圧位相差により生じる電極熱の伝導が絶縁体１３０，１３０’により妨げられるため，導管部１３０，１３０’の黒色化も著しく抑制される。
【００４１】
本発明のサーペンタインランプによれば上述の現象が防止されるため，バックライトの効用を最大にするための安定した均一な発光及び高輝度が達成される。
【００４２】
更に，本発明のサーペンタインランプは，発光体を必要とする様々な領域，特に液晶ディスプレイ用のバックライトに使用できる。
【００４３】
上述の通り，本発明のサーペンタインランプは以下の利点を有する。
【００４４】
第１に，電極部及び導管部は絶縁体により絶縁され，電圧位相差による干渉が最小となる。
【００４５】
第２に，電極からの熱伝導が抑制され，黒色化も防止される。
【００４６】
第３に，熱が遮断され，サーペンタインランプの寿命が伸びる。
【００４７】
第４に，安定した均一な発光が確保され，高輝度が維持出来る。
【００４８】
本発明の好適な実施例を説明の目的で開示しているが，当業者は添付の請求の範囲にて開示した本発明の範囲及び精神を逸脱しない限り、様々な変更，付加及び代替が可能であることを理解するであろう。
【図面の簡単な説明】
【００４９】
【図１】本発明のサーペンタインランプの好適な実施例を図示した正面図。
【図２】図１のＢ−Ｂ線に沿った横断面図。
【図３】図１のＣ−Ｃ線に沿った横断面図。
【図４】本発明のサーペンタインランプの別の実施例を図示した横断面図。
【図５】サーペンタインランプの横断面図。
【図６】従来のサーペンタインランプの正面図。
【図７】図６のＡ−Ａ線に沿った横断面図。
【符号の説明】
【００５０】
１０：サーペンタインランプ
２０：電極
３０：導管部
４０：板
１００：サーペンタインランプ
１１０，１１０’：電極部
１１２ａ，１１２ｂ：電極接続装置
１１４ａ，１１４ｂ：電極
１２０，１２０’：導管部
１３０，１３０’：絶縁体
１３２：気道
１３４：排気／吸気口（開放端部）
２００：板
【図１】
2006185810.tif 000003
【図２】
2006185810.tif 000004
【図３】
2006185810.tif 000005
【図４】
2006185810.tif 000006
【図５】
2006185810.tif 000007
【図６】
2006185810.tif 000008
【図７】
2006185810.tif 000009